(57)【要約】【課題】ブラケットを用いずに、結束バンドでコネクタをしっかり固定できる固定具を提供しようとする。【解決手段】コネクタ嵌合部10を備え、その他方側が、結束バンド3を留め掛ける切り欠き11c、11dを備えた台座受け部11となる固定具本体1と、該台座受け部1に収まる柔軟性ある台座2と、前記切り欠き11c、11dに留め掛けつつ、台座2ごと固定具本体1を結束する結束バンド3とから構成される。【選択図】図１
2009104993.tif 000002
【特許請求の範囲】
【請求項１】
コネクタ嵌合部を備え、その他方側が、結束バンドを留め掛ける切り欠きを備えた台座受け部となる固定具本体と、
該台座受け部に収まる柔軟性ある台座と、
前記切り欠きに留め掛けつつ、台座ごと固定具本体を結束する結束バンドと、
からなることを特徴とする作業機械のコネクタ固定具。
【発明の詳細な説明】
【技術分野】
【０００１】
この発明は、作業機械のコネクタ固定具に関する。
【背景技術】
【０００２】
油圧ショベル等の作業機械には、メモリやコントローラ等の電装器機が配置され、それらの配線のコネクタが種々の場所に固定されることになる。固定用ブラケットが配置できる箇所では、例えば図３に示すように、周辺の構造物にブラケット6を取り付けてそこにコネクタ7を固定するが、ブラケットが配置できない箇所では、例えば図４に示すように、圧力スイッチや油圧ホース、ハーネス等にケーブルタイ等の結束バンド8を用いてコネクタ7を巻き付けて固定している（なお、結束固定の態様として特許文献１，２参照）。
【０００３】
【特許文献１】特開平８−１３５８５０号（図２〜図５）
【特許文献２】実開平６−５３６５４号（図１〜図２）
【発明の開示】
【発明が解決しようとする課題】
【０００４】
しかし、作業機械には種々のバルブや器機が配置されており、ブラケット6の設置スペースに限りがあるので、設置箇所ごとの異形ブラケットが必要となって、コストがかかるとともに、設置する装置側にもネジ穴（図３ではボルト9の受け穴）を追加する必要が生じたりして、その製作が煩雑となっていた。
【０００５】
また、結束バンド8を用いて圧力スイッチや油圧ホースに括り付ける方法では、括り付ける部材の形状が様々なので、曲面形状（例えば図４では断面円形状部材）だったりすると、結束がゆるんで滑りやすく、コネクタ7が動いたり、抜け落ちたりするおそれがあった。
【０００６】
この発明は、従来技術の以上のような問題に鑑み創案されたもので、ブラケットを用いずに、結束バンドでコネクタをしっかり固定できる固定具を提供しようとするものである。
【課題を解決するための手段】
【０００７】
このため、この発明に係る作業機械のコネクタ固定具は、
コネクタ嵌合部を備え、その他方側が、結束バンドを留め掛ける切り欠きを備えた台座受け部となる固定具本体と、該台座受け部に収まる柔軟性ある台座と、前記切り欠きに留め掛けつつ、台座ごと固定具本体を結束する結束バンドと、からなることを特徴とする。
【０００８】
ここで、前記コネクタ嵌合部は、コネクタのいずれかの部分（全体でも良い）の形状と嵌合する形状であれば良く、要は、そこにコネクタがしっかり固定される形態であれば良い。また、前記切り欠きは、結束バンドを留め掛ける形態であれば、完全な切り欠きであっても、スリットや溝のような穴形態であっても良い。また、前記台座は、固定しようとする部材（例えば油圧ホース等）に当接してその形状にフィットする柔軟性ある部材であればどのような部材でも良く、例えばゴム素材などが好適である。また、前記結束バンドは、長尺状の結束手段であればどのようなものでも良く、公知のケーブルタイのようなものでも良い。
【０００９】
本発明では、固定具本体の台座受け部に台座を収めた状態で、結束バンドを台座受け部の切り欠きに留め掛けて、その結束バンドを、固定しようとする部材、例えば油圧ホースに巻き掛けて結束する。これにより、固定具本体が台座ごと結束バンドにより油圧ホースに固定される。台座は柔軟性があり、油圧ホースに密着するので、固定具本体がずれたりすることがない。その状態でコネクタ嵌合部にコネクタを嵌め合わせれば、コネクタはどのような場所でもしっかり固定される。
【発明の効果】
【００１０】
以上のように、本発明によれば、特別なブラケットを用意しなくても、またブラケットを取り付けることのできないような箇所であっても、コネクタを任意の箇所でしっかり固定することが可能となる。
【００１１】
しかも、必要となる構成部材も固定具本体以外に台座と結束バンドだけなので、組立が容易であり、かつコストが低廉で済む。もちろん、多数の形状のブラケットを用意することと比較して、コストは格段に低減される。
【発明を実施するための最良の形態】
【００１２】
本発明に係る具体的形態の一例を図１に基づき説明する。以下の例は、油圧ショベルのコントロールバルブの圧力スイッチにコネクタが固定された例である。なお、以下の例はあくまで一例であって、適用機械や具体的形態等、本発明が以下の形態に限定されないことは当然である。
【００１３】
図１は本形態例に係る固定具であり、(a)は完成体の平面図、(b)は完成体の正面図、(c)は完成体の側面図、(d)は台座の斜視図、(e)は固定具本体の斜視図である。
【００１４】
本形態例の固定具は、固定具本体1と、台座2と、結束バンド3とからなり、まず前記固定具本体1は、一方面側に、後述するコネクタ4の爪板40に嵌合する嵌合部10が形成されるとともに、その他方面側に、前記台座2の受け部11が形成される。嵌合部10は、両端に内側に張り出すフランジ10aを備え、そのフランジ10aが、横からスライドして嵌合する前記コネクタ4の爪板40上面を押さえる。台座受け部11は、受け部面11aとなる部分はすべてフラット面状であり、そこに当接される台座2の位置合わせをするための突起11bが形成される。また該突起11bに合わせて台座2がそこに当接された際、台座2両端の切り欠き21aに対応する位置には、後述する結束バンド幅よりやや幅のある切り欠き11cが一端に、またそれと同幅のスリット11dが他端側に形成されている。これら切り欠き11c及びスリット11dは、そこに結束バンド3を留め掛ける部位となる。
【００１５】
台座2は、柔軟性あるゴム素材からなり、前記受け部当接面20はフラット状である一方、その両端部21はテーパにより傾斜がつけられ、そこに前記切り欠き21aが形成される。受け部当接面20の裏面は、取付対象部材の当接面22であり、本形態例では取付対象部材が曲面状の圧力スイッチ5なので、当接面22はその形状に沿った曲面状に形成されている。
【００１６】
結束バンド3は、本形態例ではケーブルタイが用いられるが、他の結束バンドを用いても良い。
【００１７】
また、本形態例では、固定具により固定の対象とするコネクタ4の一方面側に、前記嵌合部10に嵌合する爪板40を備えさせている。図示上明示しないが、該爪板40は、前記一方面において片持ち状に支持されている。
【００１８】
これら固定具本体1と、台座2と、結束バンド3は、図１(a)乃至同(c)に示すように、台座2を、固定具本体1の台座受け部11の受け部当接面11aに当接させると（突起11bで位置合わせをするのは上述のとおり）、受け部11の前記切り欠き11c及びスリット11dと、台座2両端の切り欠き21aとの位置が合うので、結束バンド3を、受け部11の前記スリット11dから端部の切り欠き11cへ掛け通す。この状態で、台座2を取付対象物である圧力スイッチ5に当接させたうえ、結束バンド3を結束させれば、台座2が圧力スイッチ5に密着した状態で固定具本体1が圧力スイッチ5に台座2ごと固定される。
【００１９】
以上のような固定状態では、図２に示すように、固定具本体1の嵌合部10は外方を向くことになるので、その嵌合部10に、コネクタ4の爪部40を嵌め合わせれば、コネクタ4は固定具1を介して圧力スイッチ5にしっかり固定されることになる。
【００２０】
このような本形態例は、特別なブラケットを用意しなくても、またブラケットが取り付けることのできないような箇所であっても、コネクタ4を任意の箇所でしっかり固定することが可能となる。しかも、必要となる構成部材も固定具本体1以外に台座2と結束バンド3だけなので、組立が容易であり、かつコストが低廉で済む。もちろん、多数の形状のブラケットを用意することと比較して、コストは格段に低減される。
【００２１】
なお、本発明が以上の形態に限定されないことは言うまでもなく、各部材（コネクタ含む）の形状や取り付ける対象物等を適宜変更してももちろん良い。
【産業上の利用可能性】
【００２２】
この発明は、作業機械において、コネクタを固定する器具として適用可能である。
【図面の簡単な説明】
【００２３】
【図１】本形態例に係る固定具を示し、(a)は完成体の平面図、(b)は完成体の正面図、(c)は完成体の側面図、(d)は台座の斜視図、(e)は固定具本体の斜視図である。
【図２】図１の形態例の取付状態の説明図である。
【図３】ブラケットを用いた従来の固定方法の説明図である。
【図４】結束バンドを用いた従来の固定方法の説明図である。
【符号の説明】
【００２４】
1        器具本体
2        台座
3        結束バンド
4        コネクタ
10       嵌合部
11       台座受け部
11c      切り欠き
11d      スリット
【図１】
2009104993.tif 000003
【図２】
2009104993.tif 000004
【図３】
2009104993.tif 000005
【図４】
2009104993.tif 000006